(57)【要約】【課題】  除湿器の内部に注入した水の吸込みを惹起することなく、送風機によるドラム内空気の循環風量を増大させ得て、乾燥時間を短縮できるようにする。【解決手段】  第１に、除湿器２０を、水槽７の背部７ａの周方向に半周以上の長さにわたり設けた。第２に、除湿器２０を、水槽７の背部７ａの周方向に、該背部７ａの垂直中心をまたいで、その一方側に空気吸入口が位置し、他方側に空気排出口が位置するように設けた。これらにより、そのいずれにおいても、除湿器２０の長さが長くなり、且つ曲がりが大きくなることによって、送風機２９によるドラム内空気の循環風量を増大させても、除湿器２０の内部に注入した水の吸込みを惹起することがなくなる。かくして、ドラム内空気の循環風量を所望に増大させることができるので、乾燥時間も所望に短縮できる。【選択図】  図１
2006110145.tif 000002
【特許請求の範囲】
【請求項１】
外箱の内部に弾性支持して設けられた水槽と、
この水槽の内部に設けられ、駆動装置により回転駆動されるドラムと、
前記水槽の背部に設けられたダクト状の除湿器と、
前記ドラム内の空気を前記除湿器を通して循環させる送風機と、
前記除湿器の内部に注水する注水装置とを具備し、
その注水と前記ドラム内空気の循環とにより、前記除湿器を通るドラム内空気の除湿をするようにしたものにおいて、
前記除湿器を、前記水槽の背部の周方向に半周以上の長さにわたり設けたことを特徴とするドラム式洗濯乾燥機。
【請求項２】
外箱の内部に弾性支持して設けられた水槽と、
この水槽の内部に設けられ、駆動装置により回転駆動されるドラムと、
前記水槽の背部に設けられたダクト状の除湿器と、
前記ドラム内の空気を前記除湿器を通して循環させる送風機と、
前記除湿器の内部に注水する注水装置とを具備し、
その注水と前記ドラム内空気の循環とにより、前記除湿器を通るドラム内空気の除湿をするようにしたものにおいて、
前記除湿器を、前記水槽の背部の周方向に、該背部の垂直中心をまたいで、その一方側に空気吸入口が位置し、他方側に空気排出口が位置するように設けたことを特徴とするドラム式洗濯乾燥機。
【請求項３】
除湿器を、内部の断面積が空気吸入口と空気排出口との中間部で最も大きくなるようにしたことを特徴とする請求項１又は２記載のドラム式洗濯乾燥機。
【請求項４】
除湿器を、内部の断面積が空気排出口側で最も大きくなるようにしたことを特徴とする請求項１又は２記載のドラム式洗濯乾燥機。
【請求項５】
送風機を、横軸円筒状を成す水槽の上部に該水槽上部の中央部より片側に偏倚させて配置したことを特徴とする請求項１又は２記載のドラム式洗濯乾燥機。
【請求項６】
除湿器に、器外側が凹状を成す凹条部を、器内側を凸状と成して形成し、この凹条部の器外側凹状部分にリード線やチューブ等の線条を収容し、器内側凸状部分で除湿器の内部に注入された水を衝突飛散させるようにしたことを特徴とする請求項１又は２記載のドラム式洗濯乾燥機。
【発明の詳細な説明】
【技術分野】
【０００１】
本発明は、除湿器を改良したドラム式洗濯乾燥機に関する。
【背景技術】
【０００２】
従来より、ドラム式洗濯乾燥機においては、外箱の内部に水槽が弾性支持して設けられ、この水槽の内部にドラムが設けられて、このドラムをモータ等の駆動装置により回転駆動することにより、洗濯物の洗濯と脱水とが行われるようになっている。
一方、水槽の背部にはダクト状の除湿器が設けられ、水槽の上部に送風機と注水装置並びに加熱器が設けられて、前記ドラムを回転駆動しつつ、送風機によりドラム内の空気を除湿器を通して循環させ、同時に、注水装置により除湿器の内部に注水して、これらにより除湿器を通るドラム内空気の除湿をし、そして、その除湿した空気を加熱器により加熱してドラム内に還流させることにより、洗濯物の乾燥が行われるようになっている。
【０００３】
しかして、このようなドラム式洗濯乾燥機において、除湿器は前記水槽の背部に直線的に設けられており、曲線的に設けられたものも存するが、それも水槽の背部の左半部又は右半部にのみ位置を占めるように設けられている。
【特許文献１】特開平４−３７１１９８号公報
【発明の開示】
【発明が解決しようとする課題】
【０００４】
上記従来のものの場合、送風機によるドラム内空気の循環風量を増大させれば、乾燥時間を短縮できることが予想される。しかしながら、上記従来のもので、ドラム内空気の循環風量を増大させると、除湿器の内部に注入した水までが吸込まれてしまい、除湿器を通るドラム内空気と水との接触が少なくなるので、ドラム内空気の除湿が効果的に行われなくなって、結局は、乾燥時間を短縮することができない。
【０００５】
本発明は上述の事情に鑑みてなされたものであり、従ってその目的は、除湿器の内部に注入した水の吸込みを惹起することなく、送風機によるドラム内空気の循環風量を増大させることができて、所望に乾燥時間を短縮することのできるドラム式洗濯乾燥機を提供するにある。
【課題を解決するための手段】
【０００６】
上記目的を達成するために、本発明のドラム式洗濯乾燥機においては、第１に、外箱の内部に弾性支持して設けられた水槽と、この水槽の内部に設けられ、駆動装置により回転駆動されるドラムと、前記水槽の背部に設けられたダクト状の除湿器と、前記ドラム内の空気を前記除湿器を通して循環させる送風機と、前記除湿器の内部に注水する注水装置とを具備し、その注水と前記ドラム内空気の循環とにより、前記除湿器を通るドラム内空気の除湿をするようにしたものにおいて、前記除湿器を、前記水槽の背部の周方向に半周以上の長さにわたり設けたことを特徴とする（請求項１の発明）。
【０００７】
本発明のドラム式洗濯乾燥機においては、第２に、同じく、外箱の内部に弾性支持して設けられた水槽と、この水槽の内部に設けられ、駆動装置により回転駆動されるドラムと、前記水槽の背部に設けられたダクト状の除湿器と、前記ドラム内の空気を前記除湿器を通して循環させる送風機と、前記除湿器の内部に注水する注水装置とを具備し、その注水と前記ドラム内空気の循環とにより、前記除湿器を通るドラム内空気の除湿をするようにしたものにおいて、前記除湿器を、前記水槽の背部の周方向に、該背部の垂直中心をまたいで、その一方側に空気吸入口が位置し、他方側に空気排出口が位置するように設けたことを特徴とする（請求項２の発明）。
【発明の効果】
【０００８】
上記手段によれば、第１及び第２のいずれにおいても、除湿器の長さが長くなり、且つ曲がりが大きくなることによって、送風機によるドラム内空気の循環風量を増大させても、除湿器の内部に注入した水の吸込みを惹起することがなくなる。かくして、ドラム内空気の循環風量を所望に増大させることができるので、乾燥時間も所望に短縮できるようになる。
【発明を実施するための最良の形態】
【０００９】
以下、本発明の第１実施例（第１の実施形態）につき、図１ないし図６を参照して説明する。
まず、図２はドラム式洗濯乾燥機の全体を縦断して表しており、その全体の外殻をなす外箱１の前面部のほゞ中央部には、洗濯物出入口２を形成し、これを扉３により開閉するようにしている。
【００１０】
外箱１の前面部の上部には、操作パネル４を設けており、この操作パネル４は、使用者がドラム式洗濯乾燥機の運転に係る各種の操作をするためのもので、これの裏側に操作回路ユニット５を配設し、この操作回路ユニット５が操作パネル４に存する各種操作スイッチの操作に応動するようになっている。一方、外箱１の前面部の下部の裏側には、制御回路ユニット６を配設している。
【００１１】
外箱１の内部には水槽７を配設している。この水槽７は円筒形のドラム状を成すものであり、その軸方向が前後（図２では左右）で、しかも、前上がり（図２では左上がり）の傾斜状となる斜め横軸状に配設し、左右一対（図２では一方のみ図示）の弾性支持装置８により弾性支持している。
【００１２】
水槽７の内部には、衣類を収容する槽であるドラム９を配設している。このドラム９も円筒形を成すものであり、水槽７と同軸状（軸方向が前後で、しかも、前上がりの傾斜状となる斜め横軸状）に配設している。又、このドラム９は、脱水槽及び乾燥槽としても機能するものであり、その関係上、胴部のほゞ全域に、通水孔であり通風孔でもある小孔１０を多数有し（図２に一部のみ図示）、胴部の内周部には、洗濯物掻き上げ用のバッフル１１を複数有している（同、１つのみ図示）。
【００１３】
水槽７及びドラム９は、いずれも前面部に洗濯物出し入れ用の開口部１２，１３を有しており、そのうちの水槽７の開口部１２を、ベロー１４によって前記外箱１の洗濯物出入口２に連ね、ドラム９の開口部１３を水槽７の開口部１２に臨ませている。
水槽７の下部には、水槽７内と連通する水溜器１５を取付けており、この水溜器１５の内部に洗濯水加熱用のヒータ１６を配設している。水溜器１５の最低部である後部には、排水弁１７を介して排水ホース１８を接続しており、これらによって、水槽７内、ひいてはドラム９内の水を機外に排出するようにしている。
【００１４】
水槽７の軸方向の一方（この場合、後方）の端面部である背部７ａの中央部には、モータ１９を配設している。このモータ１９は、この場合、アウターロータ形であり、そのステータ１９ａを水槽７の背部７ａに取付け、ロータ１９ｂの中心部に取付けた回転軸１９ｃを水槽７内に挿通して、これの前端部にドラム９の背部９ａの中心部を取付けることにより、該モータ１９がドラム９を回転駆動する駆動装置として機能するようにしている。
【００１５】
水槽７の背部７ａの周囲部には、除湿器２０を設けている。この除湿器２０は、詳細には、図１に示すように、上記モータ１９を避けてそのほゞ片側（後方より見て右側から上側）に設けており、更に詳細には、図３に示すように、水槽７の背部７ａの周囲部中の上記後方より見て右側から上側の部分にかけて形成した弧状で平坦なベース部２１と、このベース部２１に後方より図４にも示すように接合した弧状で扁平箱状の覆い部材２２とにより、図４にも示す弧状のダクト状に組成している。
【００１６】
この除湿器２０のベース部２１には、図３に示すように、下側の一端部に空気吸入口２３を形成し、上側の他端部に空気排出口２４を形成しており、そのうちの空気吸入口２３は水槽７の内部に連通している。そして、除湿器２０の弧状構成についての、空気吸入口２３の最外側端２３ａから空気排出口２４の最外側端２４ａまでは、水槽７の背部７ａの周方向に半周以上の長さにわたるものとしており、かくして、除湿器２０を水槽７の背部７ａの周方向に半周以上の長さにわたり設けている。
【００１７】
又、除湿器２０は、水槽７の背部７ａの周方向に、該背部７ａの垂直中心Ｏ−Ｏをまたいで、その一方側（この場合、後方より見て右側）に空気吸入口２３が位置し、他方側（この場合、後方より見て左側）に空気排出口２４が位置するようにも設けている。
更に、ベース部２１と覆い部材２２は、空気吸入口２３と空気排出口２４との中間部でそれぞれ張出部２１ａ，２２ａを形成することによりその幅を他の部分より大としており、かくして、除湿器２０の内部の断面積が、空気吸入口２３と空気排出口２４との中間部（この場合、後方より見て右上部）で最も大きくなるようにしている。
【００１８】
なお、この結果、除湿器２０は、形状がＬ字形に近く（ほゞＬ字形）なっている。又、図４に示すように、覆い部材２２は、空気吸入口２３に対応する部分から空気排出口２４に対応する部分にかけて漸次高さＨが小さくなるように形成しており、但し、それらのいずれによる除湿器２０の内部の断面積より、上述の張出部２２ａによる除湿器２０の中間部の内部の断面積が大きくなるようにしている。図５はこのことを表しており、除湿器２０の内部の断面積は、空気吸入口２３部分では約７５００〔ｍｍ2〕で、それから空気排出口２４方向（図５の横軸右側への方向）に漸次小さくなるものの、覆い部材２２の張出部２２ａによる部分では約１３５００〔ｍｍ2〕で最も大きくなり、空気排出口２４部分では約１５００〔ｍｍ2〕で最も小さくなっている。
【００１９】
加えて、除湿器２０には、凹条部２５を形成している。この凹条部２５は、詳細には、図１及び図４に示すように、除湿器２０の空気吸入口２３近くの部分で、水槽７の背部７ａの中央部側から外周側へ除湿器２０をまたぐように覆い部材２２に形成したもので、更に詳細には、図６に示すように、器外側が凹状（器外側凹状部分２５ａ）を成し、それに相応して器内側が凸状（器内側凸状部分２５ｂ）を成すように形成したものである。
しかして、その凹条部２５の器外側凹状部分２５ａには、前記モータ１９の給電用等のリード線や他用途のチューブ等の線条２６を挿通した保護ホース２７を収容しており、すなわち、保護ホース２７を介して線条２６を収容している。
【００２０】
又、除湿器２０の上部、特にこの場合、前記覆い部材２２の張出部２２ａの上面部には、図１及び図４に示すように、注水口２８を形成しており、除湿器２０内へは、後述する給水弁３７から同じく後述する注水用接続管３８を介してその注水口２８を通じ、注水するようにしている。
そして、この場合、その注水先に、前記凹条部２５の器内側凸状部分２５ｂが位置しており、従って、凹条部２５は、除湿器２０の内部に注入された水を器内側凸状部分２５ｂで衝突飛散させるようになっている。
【００２１】
一方、水槽７の上部には、送風機２９と加熱器３０とを配設している。このうち、送風機２９は、ケーシング３１の内部に図２に示す送風羽根３２を設け、この送風羽根３２を回転駆動するモータ３３をケーシング３１の外部に設けて成るものであり、そのケーシング３１の入口部を前記除湿器２０の空気排出口２４に連通させている。
又、加熱器３０は、ケース３４の内部に同じく図２に示す温風生成用ヒータ３５を設けて成るもので、ケース３４の入口部を送風機２９のケーシング３１の出口部に連通させている。
【００２２】
しかして、これら送風機２９と加熱器３０は、前述の横軸円筒状を成す水槽７の上部に、該水槽７上部の中央部より片側（この場合、後方より見て左側）に偏倚させて配置している。
そして更に、水槽７上の前部には、図２に示すように、給風管３６を配設している。この給風管３６は、一端部が上記加熱器３０のケース３４の出口部に連通しており、他端部が前記水槽７の開口部１２周りを貫通して該開口部１２内に臨んでいる。
【００２３】
図２には又、前記外箱１の後上部に配設した給水弁３７を示している。この給水弁３７は、水道など給水源から供給される水を複数の分水路に切換えるもので、その一つの分水路が前記除湿器２０の注水口２８に通じる注水用接続管３８であり、従って、それらの給水弁３７、注水用接続管３８、及び前記注水口２８によって、除湿器２０の内部に注水する注水装置３９を構成している。
【００２４】
又、上記分水路の他の一つは給水用接続管４０であって、この給水用接続管４０の先端部を、前記水槽７の前部の上方に配設した給水ケース４１に接続している。この給水ケース４１は、詳しくは図示しないが、上記給水弁３７から給水用接続管４０を通じて送られる水を水槽７内に供給するものである。
なお、上記給水弁３７と前記排水弁１７は、ともに、電磁石やモータ等の電動駆動力によって開放される電動式のものである。
【００２５】
次に、上記構成のものの作用を述べる。
洗濯をするときには、使用者が、扉３を開けて、洗濯物出入口２からドラム９内に洗濯物（衣類）を入れ、その後に扉３を閉じて、操作パネル４の操作スイッチを操作することにより、電源を投入し、洗濯コースの選択をして、運転をスタートさせる。
【００２６】
すると、制御回路ユニット５に存する制御装置（図示せず）が、最初に、洗濯行程中の洗い行程に入って、給水弁３７の給水用接続管４０側を開放させる。これにより、前記水道など給水源から給水弁３７を通じて供給される水が、給水用接続管４０から給水ケース４１を通って水槽７内に供給される。なお、給水ケース４１にはあらかじめ洗剤が置かれるようになっており、置かれた洗剤は上述の給水と共に水槽７内（ドラム９内）に供給される。
この状況で、制御装置は、水槽７内（ドラム９内）の貯留水位を検知するように設けた水位センサ（図示せず）からの検知出力により、水槽７内の貯留水位が所定の水位に達したと判断されたところで、給水弁３７を閉塞させ、上記水槽７内への給水を終える。
【００２７】
この後、制御装置は、モータ１９を起動させる。これにより、モータ１９の回転軸１９ｃと一体にドラム９が回転され、その内部に収容した洗濯物を撹拌して洗う。なお、このときのドラム９の回転は、正逆両方向に切換えて行う。
この後、制御装置は、排水弁１７を開放させる。これにより、水槽７内（ドラム９内）の水が排水弁１７から排水ホース１８を通じて機外に排出される。
そして、その後、制御装置は、排水弁１７を閉塞させ、前記水槽７内（ドラム９内）からの排水を終える。
【００２８】
なお、洗濯行程には以上の洗い行程のほかにすすぎ行程があり、制御装置は、洗い行程の後に、行程をすすぎ行程へと進める。このすすぎ行程は、洗濯物の洗いに洗剤を使用しない以外、洗い行程と同様に行うものである。
又、すすぎ行程の後には、脱水行程、乾燥行程を順に実行する。そのうち、脱水行程は、排水弁１７を開放させた状態で、ドラム９をモータ１９により高速回転させることにより、ドラム９内の洗濯物の水分を遠心力で小孔１０から振り切り排出するものである。
【００２９】
乾燥行程は、ドラム９をモータ１９により正逆両方向に切換えて低速回転させつつ、送風機２９を作動させる。これにより、図２に矢印Ａで示すように、ドラム９内の空気が小孔１０から水槽７とドラム９との間を通り、水槽７の下部に至って空気吸入口２３から除湿器２０内に至り、該除湿器２０内を下部から上部へと通った後、空気排出口２４から送風機２９、加熱器３０、給風管３６を順に通って、水槽７の開口部１２からドラム９内に還流されるものであり、かくして、ドラム９内の空気が循環される。
【００３０】
又、このとき、加熱器３０を作動させると共に、給水弁３７の注水用接続管３８側を開放させる。これにより、前記水道など給水源から給水弁３７を通じて供給される水が、注水用接続管３８を通じて注水口２８から除湿器２０内に上記循環風の流れとは逆の方向に注入される。かくして、除湿器２０内では、循環空気が冷却されて除湿されるものであり、そして、その除湿された空気が加熱器３０に加熱されて温風となり、それがドラム９内に順次送り込まれて、ドラム９内の洗濯物を乾燥させる。
【００３１】
ここで、除湿器２０は、水槽７の背部７ａの周方向に半周以上の長さにわたり設けており、又、水槽の背部７ａの周方向に、該背部７ａの垂直中心Ｏ−Ｏをまたいで、その一方側に空気吸入口２３が位置し、他方側に空気排出口２４が位置するように設けている。これらにより、そのいずれにおいても、除湿器２０の長さが長くなり、且つ曲がりが大きくなる。これにより、送風機２９によるドラム９内空気の循環風量を増大させても、除湿器２０の内部に注入した水の吸込みを惹起することがなくなる。かくして、ドラム９内空気の循環風量を所望に増大させることができるものであり、それによって、乾燥時間を所望に短縮することができる。
【００３２】
加えて、除湿器２０は、内部の断面積が空気吸入口２３と空気排出口２４との中間部で最も大きくなるようにしている。これにより、除湿器２０内を通るドラム９内空気の風速がその中間部で落ちる。かくして、除湿器２０の内部に注入した水の吸込みを一層惹起することがなくなるので、ドラム９内空気の循環風量を更に増大させることができ、乾燥時間を一段と短縮することができる。
【００３３】
又、送風機２９は、横軸円筒状を成す水槽７の上部に該水槽７上部の中央部より片側に偏倚させて配置している。これにより、送風機２９を水槽７の上部の中央部（頂部）より低い部分に配置できて、全体の高さを低く抑えることができる。
【００３４】
更に、除湿器２０には、器外側が凹状を成す凹条部２５を形成している。これは、除湿器２０が上述のごとく長さを長く形成した関係上、リード線やチューブ等の線条２６が除湿器２０をまたぐようになる故、必要なものであり、その器外側凹状部分２５ａに、線条２６を保護ホース２７を介して収容している。そして又、この凹条部２５は、器内側を凸状と成して形成し、その器内側凸状部分２５ｂで、除湿器２０の内部に注入された水を衝突飛散させるようにしている。これにより、上記線条２６を収容する部分の裏側を利用して、除湿器２０内を通るドラム９内空気と水との接触を多くでき、除湿効率を上げることができるので、乾燥時間を更に短縮することができる。
【００３５】
以上に対して、図７は本発明の第２実施例（第２の実施形態）を示すもので、第１実施例（図５）との差異のみを述べれば、それは、除湿器２０の内部の断面積を空気排出口２４側で最も大きくなるようにした点にある。具体的には、除湿器２０の内部の断面積を、空気排出口２４付近から１２０００〔ｍｍ2〕以上に漸次大きくして空気排出口２４部分では約１３５００〔ｍｍ2〕と最も大きくしている。
【００３６】
これにより、除湿器２０内を通るドラム９内空気の風速が空気排出口２４側で落ちる。かくして、この場合も、除湿器２０の内部に注入した水の吸込みを一層惹起することがなくなるので、ドラム９内空気の循環風量を更に増大させることができ、乾燥時間を一段と短縮することができる。
このほか、本発明は上記し且つ図面に示した実施例にのみ限定されるものではなく、要旨を逸脱しない範囲内で適宜変更して実施し得る。
【図面の簡単な説明】
【００３７】
【図１】本発明の第１実施例を示す主要部分の背面図
【図２】全体の破断側面図
【図３】主要部分の、除湿器覆い部材を取外した状態での背面図
【図４】主要部分の斜視図
【図５】除湿器の内部の断面積をグラフで表した図
【図６】図１のＸ−Ｘ線に沿う部分拡大断面図
【図７】本発明の第２実施例を示す図５相当図
【符号の説明】
【００３８】
図面中、１は外箱、７は水槽、７ａは水槽の背部、９はドラム、１９はモータ（駆動装置）、２０は除湿器、２２ａは除湿器の覆い部材の張出部、２３は空気吸入口、２４は空気排出口、２５は凹条部、２５ａは器外側凹状部分、２５ｂは器内側凸状部分、２６は線条、２９は送風機、３９は注水装置を示す。
【図１】
2006110145.tif 000003
【図２】
2006110145.tif 000004
【図３】
2006110145.tif 000005
【図４】
2006110145.tif 000006
【図５】
2006110145.tif 000007
【図６】
2006110145.tif 000008
【図７】
2006110145.tif 000009